(57)【要約】【課題】防漏水性が良く、水上継手部材と水下継手部材の間から接着剤が溢れ出して美観を損なうことがなく、乾式での使用も可能で施工が容易な樋継手を提供する。【解決手段】一方の樋の端部が嵌着される水上継手部材２に円筒部４を形成し、他方の樋の端部が嵌着される水下継手部材３に開口部５を形成して、水上継手部材２の円筒部４を水下継手部材３の開口部５に回転自在に嵌合した樋継手１であって、上記円筒部４が、先端側の小径筒部６と、この小径筒部６より外径が大きい基端側の大径筒部７と、小径筒部６の先端に形成された係合鍔部６ａとからなり、上記開口部５の内面に形成された係止部８が上記係合鍔部６ａに係止された構成とする。樋を回転自在に接続することができ、また、接着剤漏れがないので体裁が良好である。【選択図】図３
2006152709.tif 000002
【特許請求の範囲】
【請求項１】
一方の樋の端部が嵌着される水上継手部材に円筒部を形成し、他方の樋の端部が嵌着される水下継手部材に開口部を形成して、水上継手部材の円筒部を水下継手部材の開口部に回転自在に嵌合した樋継手であって、
上記円筒部が、先端側の小径筒部と、この小径筒部より外径が大きい基端側の大径筒部と、小径筒部の先端に形成された係合鍔部とからなり、
上記開口部の内面に形成された係止部が上記係合鍔部に係止されていることを特徴とする樋継手。
【請求項２】
上記係止部が、開口部の内面に複数個形成された係止爪であることを特徴とする請求項１に記載の樋継手。
【請求項３】
大径筒部の長さが、小径筒部の長さと同一若しくはそれより長いことを特徴とする請求項１または請求項２に記載の樋継手。
【請求項４】
係合鍔部の側面及び先端面が、先窄まり状の曲面に形成されていることを特徴とする請求項１ないし請求項３のいずれかに記載の樋継手。
【発明の詳細な説明】
【技術分野】
【０００１】
本発明は、樋を所望の角度回転させて接続することができ、水密的に接続することのできる接着剤漏れのない樋継手に関するものである。
【背景技術】
【０００２】
従来の回転機構を有する一般的な樋継手は、一方の継手部材と他方の継手部材の嵌合部に挟まれた防水用パッキンが劣化すると、その隙間より漏水するという問題があった。
【０００３】
この問題を解決するため、防漏水性を高めることを目的とした樋継手が提案されている（特許文献１）。この樋継手は、エルボ継手であって、一方の樋を差込み接続する接続口には雄嵌合部が形成されており、この雄嵌合部は、他方の曲管の雌嵌合部となる上端開口部に回転自在に嵌合されている。そして、この雄嵌合部には、先端外周に突起を有するスライド部と、粘着シール材を貼着した係着部が形成されており、また雌嵌合部となる上端開口部の奥側の内周面には突起が形成されている。
【０００４】
しかしながら、上記のエルボ継手は、粘着シール材の粘着によって奥まで押し込むことができなかったり、無理に押し込むと粘着シール材が捲れ上がってしまい施行できないという問題があった。また、施行できても、粘着シール材の劣化により粘着力が低下すると、曲管の上端開口部が雄嵌合部の係着部から脱落して粘着前の状態に戻り、雄嵌合部と曲管の上端開口部との間から漏水するという問題もあった。
【０００５】
そこで、本出願人は上記の問題を解決し得る樋継手として、上継手部材の円筒部を下継手部材の開口部に回転自在に嵌合し、開口部の内周に形成した係止部を、円筒部に形成した第一の溝部又は第二の溝部のどちらか一方に係止させるように構成した樋継手を提案した（特許文献２）。
【０００６】
上記の樋継手は、特許文献１のエルボ継手が抱える施工性の問題や、粘着シール材の劣化による漏水などの問題を解決できるものであったが、上継手部材と下継手部材との合わせ面から接着剤が溢れ出す場合があり、見栄えが良くないという問題が生じた。昨今の住宅事情は、とりわけ建物の外観を重要視する傾向にあることから、この問題を軽視することはできない。
【特許文献１】特開平９−２５６９０号公報
【特許文献２】特開２００４−３１８１号公報
【発明の開示】
【発明が解決しようとする課題】
【０００７】
本発明は、上記の問題に対処すべくなされたもので、その目的とすることは、防漏水性が良く、水上継手部材と水下継手部材の間から接着剤が溢れ出して美観を損なうことがなく、しかも、乾式での使用も可能で施工が容易な樋継手を提供することにある。
【課題を解決するための手段】
【０００８】
上記の課題を解決するため、本発明に係る樋継手は、一方の樋の端部が嵌着される水上継手部材に円筒部を形成し、他方の樋の端部が嵌着される水下継手部材に開口部を形成して、水上継手部材の円筒部を水下継手部材の開口部に回転自在に嵌合した樋継手であって、上記円筒部が、先端側の小径筒部と、この小径筒部より外径が大きい基端側の大径筒部と、小径筒部の先端に形成された係合鍔部とからなり、上記開口部の内面に形成された係止部が上記係合鍔部に係止されていることを特徴とするものである。
【０００９】
本発明の樋継手においては、上記係止部が、開口部の内面に複数個形成された係止爪であることが好ましい。また、大径筒部の長さが、小径筒部の長さと同一若しくはそれより長いことが好ましく、係合鍔部の側面及び先端面が、先窄まり状の曲面に形成されていればより好ましい。
【発明の効果】
【００１０】
本発明の樋継手は、水上継手部材の円筒部と水下継手部材の開口部が回転自在に嵌合しているので、一方の樋と他方の樋との角度を自由に変えることができる。そして、水上継手部材の円筒部を、先端側の小径筒部と、小径筒部より外径が大きい基端側の大径筒部と、小径筒部の先端に形成された係合鍔部とからなる構成とし、水下継手部材の開口部内面に形成した係止部を上記の係合鍔部に係止させる構成としたので、接着剤を塗布することなく乾式で使用することもできる。また、上記のような構成とすることで、水上継手部材と水下継手部材の沿面距離（合わせ面の距離）が従来の樋継手よりも遥かに長くなり、合わせ面から外側に接着剤が溢れ出すことを防ぐことができるので、体裁が良好である。そして、水下継手部材の開口部内面に接着剤を塗布し易い。
【００１１】
また、水下継手部材の開口部の内面に形成された係止部を、複数個の係止爪とした樋継手は、係止爪を水上継手部材の係合鍔部に簡単且つ確実に係止することができ、また、分離も比較的容易なため、施行現場まで水上継手部材と水下継手部材を嵌合させたまま一対で運んで、現場で分離し、接着剤を塗布して使用できるので利便性がよい。
【００１２】
そして、水上継手部材の大径筒部の長さを、小径筒部の長さと同一若しくはそれより長くなるように形成した樋継手は、大径筒部の長さを増加させた分だけ水上継手部材と水下継手部材の沿面距離（合わせ面の距離）が長くなるので、接着剤を塗布したとき、合わせ面からの接着剤漏れがほぼ皆無となり、建物の美観を損ねることがなくなり、防漏水性も向上する。
【００１３】
更に、水上継手部材の係合鍔部の側面及び先端面を、先窄まり状の曲面に形成した樋継手は、水上継手部材の円筒部を水下継手部材の開口部に嵌合させるとき、係合鍔部が先窄まりとなっているので、大きい抵抗なくスムーズに差し込むことができる。
【発明を実施するための最良の形態】
【００１４】
以下、図面を参照して本発明の具体的な実施形態を詳述する。
【００１５】
図１は本発明の一実施形態に係る樋継手の平面図、図２は同樋継手の正面図、図３は図１のＡ−Ａ線断面図、図４は図３の円イで囲まれた部分の拡大図、図５は同樋継手を構成する水上継手部材の正面図、図６は同水上継手部材の断面図、図７は同樋継手を構成する水下継手部材の平面図、図８は同水下継手部材の正面図、図９は同水下継手部材の断面図である。
【００１６】
この樋継手１は、図２に示すように、上側の合成樹脂製の水上継手部材２と下側の合成樹脂製の水下継手部材３を備えたもので、図１、図４、図５に示すように、水上継手部材２の開口した底部には円筒部４が形成されており、図７、図９に示すように、水下継手部材３の上部には円形の開口部５が形成されている。そして、水上継手部材２の円筒部４は、図２、図３に示すように、水下継手部材３の開口部５の内側に回転自在に嵌合されている。
【００１７】
水上継手部材２は、図１に示すように、略八角形の筒状に形成されており、これに対応する略八角形の上側の角竪樋（不図示）の下端部が水上継手部材２の上側の受部の内側に嵌着されて接着剤で水密的に接着されるようになっている。そして、図５、図６に示すように、水上継手部材２の開口した底部には円形の円筒部４が形成されている。
【００１８】
図５、図６に示すように、この円筒部４は、先端側に形成された外径の小さい円形の小径筒部６と、基端側に形成された上記小径筒部６よりも外径が大きい円形の大径筒部７と、上記小径筒部６の先端に形成された係合鍔部６ａとから構成されている。大径筒部７の上下間の長さは、小径筒部６の上下間の長さと略等しくなるように形成されている。このように大径筒部７の上下間の長さを小径筒部６の上下間の長さと同一程度まで長くしたことにより、水上継手部材２と水下継手部材３を嵌合させたときの沿面距離（合わせ面の距離）が長くなるので、ガタツキなく水上継手部材２と水下継手部材３を嵌合させることができ、合わせ面より接着剤が溢れ出して体裁が悪くなることや、継目から漏水することを防止することができる。尚、大径筒部７の長さを小径筒部６の長さよりも長くしてもよく、その場合は、上記の作用効果が更に顕著になる。
【００１９】
上記の円筒部４の小径筒部６の先端に形成された係合鍔部６ａは、その側面及び先端面が先窄まり状の曲面となるように形成されており、水下継手部材３に嵌合するときに後述する係止爪８との抵抗が小さくスムーズに嵌合できるように考慮されている。
【００２０】
図７〜図９に示す水下継手部材３は、略八角形の外筒部９とこれより小さい略八角形の内筒部１０が形成されており、この外筒部９と内筒部１０の間隙部１１に、略八角形の下側の角竪樋（不図示）の上端部が嵌着されて接着剤で水密的に接着されるようになっている。そして、この内筒部１０の下端１０ａは斜めに切断されており、角竪樋を嵌着するときに内筒部１０が角竪樋に容易に差し込まれるように工夫されている。そして、水下継手部材３の上側には円形の開口部５が形成されている。
【００２１】
図７に示すように、水下継手部材３の上記開口部５の内周には略９０°間隔で４個の係止爪８が内側に突出して形成されており、水上継手部材２の小径筒部６の先端に形成された係合鍔部６ａに係止するようになっている。この係止爪８は、図３、図４、図９に示すように、その上端が斜めに切断されているので、上記の係合鍔部６ａを上記の開口部５に強く押し込むと、係止爪８の上端が係合鍔部６ａに摺接しながら比較的スムーズに係止できるようになっている。この実施形態では、係合鍔部６ａの側面及び先端面も先窄まり状の曲面になっているので、よりスムーズに差し込んで確実に係止するこができる。また、係止部を水下継手部材３の開口部５の内周全体に亘って形成せずに、係止爪８を９０°間隔で４箇所に設けたので、分離作業も容易となり、施行現場で水上継手部材と水下継手部材を簡単に分離して接着剤を塗布することができ、作業効率が向上する。
【００２２】
以上のような構成の樋継手１を用いて上下の竪樋を接続する場合、即ち、水上継手部材２と水下継手部材３が上下に配列して、その嵌合部から漏水する恐れがない場合は、図３、図４に示すように、水上継手部材２の係合鍔部６ａに水下継手部材３の係止爪８を係止させて、従来と同様に回転自在な乾式の竪樋継手１として使用することができる。このように本発明の樋継手１は、係止爪８を係合鍔部６ａに係止させることによって水上継手部材２と水下継手部材３が簡単且つ確実に嵌合され、しかも、図３などに示すように、水上継手部材２と水下継手部材３の沿面距離（合わせ面の距離）が長いため、接着剤を用いずに乾式として使用しても漏水の心配はない。尚、竪樋が真横や斜めに配設される場合は、接着剤を用いた湿式使用が好ましい。
【００２３】
次に、竪樋が真横に配設されたり、斜めに配設されたりして、水上継手部材２と水下継手部材３との嵌合部から漏水する恐れがあったり、上下に配設する場合であっても接着嵌合したいときには、まず図６に示す水上継手部材２の円筒部４の表面、特に、小径筒部６と大径筒部７に接着剤を塗布する。そして、図３、図４に示すように、水上継手部材２の円筒部４を水下継手部材３の開口部５に強く押し込んで、開口部５の内周の係止爪８を円筒部４の係合鍔部６ａに係止させる。このように水上継手部材２と水下継手部材３を接着嵌合すると、本発明の樋継手１は水上継手部材２と水下継手部材３の沿面距離（合わせ面の距離）、即ち、水上継手部材２の円筒部４の大径筒部７と水下継手部材３の開口部５との合わせ面、及び、水上継手部材２の円筒部４の周囲の下面４ａと水下継手部材３の開口部５の周囲の上面５ａとの合わせ面の距離が十分に長いため、水上継手部材２と水下継手部材３の合わせ面から接着剤が溢れ出して見栄えが悪くなることがない。尚、水下継手部材３の開口部５の内周面に接着剤を塗布して嵌合してももちろん構わないし、より強固な接着を望む場合は、水上継手部材２の円筒部４の周囲の下面４ａと水下継手部材３の開口部５の周囲の上面５ａの内側半分程度まで接着剤を塗布して嵌合させることもできる。
【００２４】
以上の説明から明らかなように、本発明の樋継手は乾式での使用もでき、角度調整や接着嵌合といった施工が容易で防漏水性が高く、しかも、接着剤が水上継手部材と水下継手部材の合わせ面から溢れ出さないので美観を損なわないといった顕著な効果を奏する。
【図面の簡単な説明】
【００２５】
【図１】本発明の一実施形態に係る樋継手の平面図である。
【図２】同樋継手の正面図である。
【図３】図１のＡ−Ａ線断面図である。
【図４】図３の円イで囲まれた部分の拡大図である。
【図５】同樋継手を構成する水上継手部材の正面図である。
【図６】同水上継手部材の断面図である。
【図７】同樋継手を構成する水下継手部材の平面図である。
【図８】同水下継手部材の正面図である。
【図９】同水下継手部材の断面図である。
【符号の説明】
【００２６】
１    樋継手
２    水上継手部材
３    水下継手部材
４    円筒部
５    開口部
６    小径筒部
６ａ  係合鍔部
７    大径筒部
８    係止爪
【図１】
2006152709.tif 000003
【図２】
2006152709.tif 000004
【図３】
2006152709.tif 000005
【図４】
2006152709.tif 000006
【図５】
2006152709.tif 000007
【図６】
2006152709.tif 000008
【図７】
2006152709.tif 000009
【図８】
2006152709.tif 000010
【図９】
2006152709.tif 000011